(57)【要約】【課題】正面側の一個所で保守点検ができ、据え付け面積が縮小できる金属閉鎖形スイッチギヤを得る。【解決手段】箱体１の上下方向の中間部に配置された母線２と、母線２に固定側主回路が接続される真空バルブ４、１２を絶縁材料でモールドした開閉器５、１３と、開閉器５、１３の可動側主回路が導出されるケーブルヘッド７、１５と、この開閉器５、１３を開閉する操作機構６、１４とを備え、母線２を境として、開閉器５、１３、ケーブルヘッド７、１５および操作機構６、１４を上下対称配置としたことを特徴とする。【選択図】図１
2008283733.tif 000002
【特許請求の範囲】
【請求項１】
箱体の上下方向の中間部に配置された母線と、
前記母線に固定側主回路が接続される絶縁材料でモールドされた開閉器と、
前記開閉器の可動側主回路が導出されるケーブルヘッドと、
この開閉器を開閉する操作機構とを備え、
前記母線を境として、前記開閉器、ケーブルヘッドおよび操作機構を上下対称配置としたことを特徴とする金属閉鎖形スイッチギヤ。
【請求項２】
前記ケーブルヘッドを正面側に配置し、前記開閉器および操作機構を縦一列配置としたことを特徴とする請求項１に記載の金属閉鎖形スイッチギヤ。
【請求項３】
前記ケーブルヘッドを正面側に配置し、前記操作機構を背面側に配置して連結レバーで前記開閉器と連結したことを特徴とする請求項１に記載の金属閉鎖形スイッチギヤ。
【請求項４】
前記開閉器の固定側主回路および前記ケーブルヘッドの少なくとも一方に主回路の電力を検出する検出装置を設けたことを特徴とする請求項１乃至請求項３のいずれか１項に記載の金属閉鎖形スイッチギヤ。
【請求項５】
前記開閉器は、接離自在の一対の接点を有する真空バルブからなる遮断器であることを特徴とする請求項１乃至請求項４のいずれか１項に記載の金属閉鎖形スイッチギヤ。
【請求項６】
絶縁材料でモールドされた第１の開閉器および第２の開閉器にそれぞれ操作機構を取り付け、
前記第１の開閉器および前記第２の開閉器を収納する箱体の上下方向の中間部に母線を取り付け、
前記母線を境として、箱体の上下方向の一方に前記第１の開閉器を組み込んで前記母線に接続し、
他方に前記第２の開閉器を組み込んで前記母線に接続し、
前記第１の開閉器と前記第２の開閉器とを上下対称配置としたことを特徴とする金属閉鎖形スイッチギヤの組立方法。
【発明の詳細な説明】
【技術分野】
【０００１】
本発明は、保守点検が容易で、据え付け面積を縮小し得る金属閉鎖形スイッチギヤおよびその組立方法に関する。
【背景技術】
【０００２】
従来のこの種の金属閉鎖形スイッチギヤは、箱体内に収納される遮断器などの操作機構を正面側に配置し、ケーブルヘッドなどを背面側に配置し、正面側と背面側とで保守点検が行われるようになっている。また、エポキシ樹脂でモールドした遮断器、断路器などの開閉機器を開閉する操作機構は、正面側に配置されるものの、それぞれが床面側に一列配置されている（例えば、特許文献１参照）。
【特許文献１】特開２００３−３３３７１５号公報  （第５ページ、図１）
【発明の開示】
【発明が解決しようとする課題】
【０００３】
上記の従来の金属閉鎖形スイッチギヤにおいては、次のような問題がある。箱体の正面側で操作機構の保守点検が行えるものの、ケーブルヘッドなどは背面側で行わなければならず、保守点検が正面側と背面側の二個所となっていた。そして、正面側と背面側とに作業スペースを確保しなければならず、箱体を電気室の壁から離隔するなど、設置に制約が生じていた。
【０００４】
一方、遮断器、断路器などをエポキシ樹脂でモールドして縮小化を図っているものの、操作機構の外形形状が比較的大形であり、これらを床面側に一括して収納すると、箱体自体が大型化していた。箱体が大型化すると、据え付け面積が大型化する。このため、モールドされて縮小化された電気機器の特徴が発揮できるように箱体をスリムにして据え付け面積が縮小化でき、保守点検が正面側の一個所で行えるものが望まれていた。
【０００５】
本発明は上記問題を解決するためになされたもので、正面側の一個所で保守点検ができ、据え付け面積を縮小し得る金属閉鎖形スイッチギヤおよびその組立方法を提供することを目的とする。
【課題を解決するための手段】
【０００６】
上記目的を達成するために、本発明の金属閉鎖形スイッチギヤは、箱体の上下方向の中間部に配置された母線と、前記母線に固定側主回路が接続される絶縁材料でモールドされた開閉器と、前記開閉器の可動側主回路が導出されるケーブルヘッドと、この開閉器を開閉する操作機構とを備え、前記母線を境として、前記開閉器、ケーブルヘッドおよび操作機構を上下対称配置としたことを特徴とする。
【発明の効果】
【０００７】
本発明によれば、二回線分の開閉器と操作機構とを母線を境として上下対称配置の縦一列配置としているので、箱体がスリムとなり、据え付け面積を縮小化することができ、正面側から開閉器、操作機構およびケーブルなどを保守点検することができる。
【発明を実施するための最良の形態】
【０００８】
以下、図面を参照して本発明の実施例を説明する。
【実施例１】
【０００９】
先ず、本発明の実施例１に係る金属閉鎖形スイッチギヤを図１および図２を参照して説明する。図１は、本発明の実施例１に係る金属閉鎖形スイッチギヤの構成を示す側面図、図２は、本発明の実施例１に係る金属閉鎖形スイッチギヤで構成される電気回路図である。
【００１０】
図２の電気回路を構成する金属閉鎖形スイッチギヤは、図１に示すように、金属製の箱体１の上下方向の中間部に水平配置される母線（ＢＵＳ）２を境として、上下対称に配置された図示上部側の第１の電気機器部３ａと、図示下部側の第２の電気機器部３ｂとに分かれて構成されている。
【００１１】
第１の電気機器部３ａには、接離自在の一対の接点を有する真空バルブ４をエポキシ樹脂などの絶縁材料でモールドした遮断器（ＣＢ１）５が設けられている。真空バルブ４の軸方向の可動側には、真空バルブ４を開閉する電磁アクチュエータのような操作機構６が天井側に設けられている。可動側主回路は、真空バルブ４の軸方向に直交して正面側に突出し、真空バルブ４と一体でモールドされたケーブルヘッド（ＣＨ１）７により導出される。また、可動側主回路を接地する接地開閉器（ＥＳ１）８が設けられている。
【００１２】
ケーブルヘッド７には、Ｔ字状のケーブル９が界面接続されるようになっている。ケーブルヘッド７の根元には、貫通形変流器または静電結合形変成器からなる可動側主回路の電圧または電流を検出する検出装置１０が取り付けられている。
【００１３】
真空バルブ４の固定側には、可動側と同様に、固定側主回路の電圧または電流を検出する検出装置１１が取り付けられている。この検出装置１１と前記検出装置１０は、少なくとも一方に取り付けることで、主回路の電圧や電流、即ち電力を検出することができる。また、三相分が横一列配置された母線２には、それぞれの相の固定側主回路が可撓性材料を介して界面接続され、他の盤との接続がされる。母線２は、絶縁材料でモールドされている。
【００１４】
第２の電気機器部３ｂには、第１の電気機器部３ａと同様に、真空バルブ１２を絶縁材料でモールドした遮断器（ＣＢ２）１３が設けられている。真空バルブ１２の可動側には、これを開閉する操作機構１４が床面側に設けられている。可動側主回路は、真空バルブ１２と一体でモールドされたケーブルヘッド（ＣＨ２）１５により導出される。また、可動側主回路を接地する接地開閉器（ＥＳ２）１６が設けられている。なお、接地開閉器８、１６は、電気回路上、省略されることがある。
【００１５】
ケーブルヘッド１５には、Ｔ字状のケーブル１７が界面接続されるようになっており、可動側主回路の電圧または電流を検出する検出装置１８が取り付けられている。真空バルブ１２の固定側には、固定側主回路の電圧または電流を検出する検出装置１９が取り付けられ、三相分が横一列配置された母線２にそれぞれの相が接続されている。また、箱体１の正面側には、開閉自在の正面扉２０が設けられている。
【００１６】
これにより、第１の電気機器部３ａと第２の電気機器部３ｂとが母線２を境として縦一列配置され、第１の電気機器部３ａの操作機構６が天井側で、第２の電気機器部３ｂの操作機構１４が床面側に配置されているので、箱体１がスリムとなり、据え付け面積を縮小化することができる。特に、多数回線を構成する金属閉鎖形スイッチギヤでは、箱体１を多数列盤するが、二回線分を一つの箱体１にまとめ、これを列盤すれば据え付け面積を大きく縮小化することができる。
【００１７】
また、それぞれの操作機構６、１４、遮断器５、１３およびケーブル９、１７などを正面側に配置しているので、正面扉２０を開放することで、これらの電気機器の保守点検を行うことができる。背面側での保守点検のスペースが不要となる。
【００１８】
一方、組立てにおいては、箱体１外で、モールドした真空バルブ４、１２にそれぞれ操作機構６、１４や検出装置１０、１１、１８、１９などを取り付け、第１の電気機器部３ａと第２の電気機器部３ｂとを仮組立てしておく。そして、箱体１に母線２を取り付けた後、第１の電気機器部３ａを組み込み、次いで第１の電気機器部３ａを上下反転させた第２の電気機器部３ｂを組み込む。第１の電気機器部３ａと第２の電気機器部３ｂを組み込む順序は、どちらが先でもよい。
【００１９】
これにより、箱体１に収納する第１の電気機器部３ａと第２の電気機器部３ｂの組み込み作業が容易で短時間となる。また、ケーブルヘッド７、１５が正面側に位置しているので、ケーブル９、１７の接続作業が容易となる。
【００２０】
上記実施例１の金属閉鎖形スイッチギヤによれば、二回線分の遮断器５、１３と操作機構６、１４を中間部の母線２を境として上下対称配置の縦一列配置としているので、箱体１がスリムとなり、据え付け面積を縮小化することができる。また、正面扉２０を開放することで、操作機構６、１４、遮断器５、１３およびケーブル９、１７など電気機器の保守点検を行うことができる。
【００２１】
なお、上記実施例１では、電気機器を遮断器５、１３で説明したが、主回路を確実に開路する断路器に置き換えることができる。この断路器と遮断器５、１３と合わせて、主回路を開閉する開閉器とし、第１の電気機器部３ａ側を第１の開閉器、第２の電気機器部３ｂ側を第２の開閉器と称する。
【実施例２】
【００２２】
次に、本発明の実施例２に係る金属閉鎖形スイッチギヤを図３を参照して説明する。図３は、本発明の実施例２に係る金属閉鎖形スイッチギヤの構成を示す側面図である。なお、この実施例２が実施例１と異なる点は、操作機構の配置である。図３において、実施例１と同様の構成部分においては、同一符号を付し、その詳細な説明を省略する。
【００２３】
図３に示すように、第１の電気機器部３ａでは、操作機構２１を遮断器５の背面の天井側に配置し、第２の電気機器部３ｂでは、操作機構２２を遮断器１３の背面の床面側に配置している。遮断器５、１３と操作機構２１、２２とは、連結レバー２３、２４で連結されている。なお、連結レバー２３、２４は操作機構２１、２２の一部であり、正面扉２０を開放すると、注油が必要な回転部分などの主要部の保守点検ができるものである。注油などを頻繁に行う必要がない操作機構２１、２２が背面側に位置するものとなる。
【００２４】
上記実施例２の金属閉鎖形スイッチギヤによれば、実施例１による効果のほかに、連結レバー２３、２４で連結した操作機構２１、２２を背面側に配置させているので、箱体１の高さを低減することができる。
【図面の簡単な説明】
【００２５】
【図１】本発明の実施例１に係る金属閉鎖形スイッチギヤの構成を示す側面図。
【図２】本発明の実施例１に係る金属閉鎖形スイッチギヤで構成される電気回路図。
【図３】本発明の実施例２に係る金属閉鎖形スイッチギヤの構成を示す側面図。
【符号の説明】
【００２６】
１  箱体
２  母線
３ａ  第１の電気機器部
３ｂ  第２の電気機器部
４、１２  真空バルブ
５、１３  遮断器
６、１４、２１、２２  操作機構
７、１５  ケーブルヘッド
８、１６  接地開閉器
９、１７  ケーブル
１０、１１、１８、１９  検出装置
２０  正面扉
２３、２４  連結レバー
【図１】
2008283733.tif 000003
【図２】
2008283733.tif 000004
【図３】
2008283733.tif 000005